(57)【要約】      （修正有）【課題】体を支えることができることはもちろん、有面、壁面等に安定した状態で設置して手すりとして使用することができる介助用杖を提供する。【解決手段】支柱１２の上方に、長尺な円柱状の脇保持部１４を、中央に、短尺な円柱状の把持部１６を、それぞれ支柱１２に対して垂直方向に突出させて配し、脇保持部１４および把持部１６の外部突出端に、支柱１２を床面等に安定して設置支持するため、脇保持部１４には円柱状の支持体１８を、把持部１６には半球状の支持体１８を、それぞれ配した。【選択図】図１
0003166654.tif 000002
【実用新案登録請求の範囲】
【請求項１】
支柱(12)の上方に、長尺な脇保持部(14)を、中央に、短尺な把持部(16)を、それぞれ配し、脇保持部(14)および把持部(16)の外側端に支柱(12)を床面等に安定して設置支持するための支持体(18)を配したことを特徴とする介助用杖。
【考案の詳細な説明】
【技術分野】
【０００１】
本考案は、老人、障害者が歩行時または立ち上り時に使用する杖であり、特に手すりとして使用することができる構造を備えたものに関する。
【背景技術】
【０００２】
従来の技術として、歩行時に使用する杖は体宛部を備えたものが主流であり、杖自体を床面または壁面に安定した状態で設置できるものは皆無であった。
【考案の概要】
【考案が解決しようとする課題】
【０００３】
上記の通り、従来品は単に体を支えるための杖としての役目を果たすにとどまり、床面あるいは壁面等に安定した状態で立て掛けて手すりとして使用することができなかった。
【課題を解決するための手段】
【０００４】
本考案は、このような欠点に鑑み、体を支えることができることはもちろん、床面、壁面等に安定した状態で設置して手すりとして使用することができる介助用杖を提供することを目的としたものである。
【０００５】
その構成は、支柱の上方に、長尺な脇保持部を、中央に、短尺な把持部を、それぞれ配し、脇保持部および把持部の外側端に支柱を床面等に安定して設置支持するための支持体を配したことを特徴とするものである。
【考案の効果】
【０００６】
本考案の介助用杖は、支柱に配した脇保持部および把持部の外側端に支柱を床面等に安定して設置支持するための支持体を配してあるため、床面あるいは壁面に杖を安定して設置することができ、杖を手すりとして使用して、老人、身障者の立ち上がり動作を介助することができる利点がある。
【図面の簡単な説明】
【０００７】
【図１】図１は本考案に係る介助用杖の正面側斜視図。
【図２】図２は同、正面図。
【図３】図３は同、側面図。
【図４】図４は同、使用状態を示す斜視図。
【図５】図５は同、別の使用状態を示す斜視図。
【図６】図６は同、さらに別の使用状態を示す斜視図。
【考案を実施するための形態】
【０００８】
本考案は、通常の杖としての使用のみならず、手すりとしても使用に供することができる目的を、支柱に配した脇保持部、把持部と、脇保持部および把持部に配した支持体と、により実現させた。
【実施例１】
【０００９】
図１は、本考案の介助用杖は、図１〜図６に示すように、以下の構成からなるものである。
【００１０】
円柱状の支柱１２の上方に、長尺な脇保持部１４を、中央に、短尺な把持部１６を、それぞれ配し、脇保持部１４および把持部１６の外側端に支柱１２を床面あるいは壁面に安定して設置支持するための支持体１８を配してある。
【００１１】
本例において、支柱１２、脇保持部１４、把持部１６は優れた強度を備えたアルミ素材にて成形されている。
【００１２】
脇保持部１４、把持部１６に配する支持体１８も、アルミ素材にて成形されている。
【００１３】
脇保持部１４の支持体１８は、溶接することにより配してあり、把持部１６の支持体１８は弾性素材により成形された略半円体である。
【００１４】
脇保持部１４、把持部１６は、支柱１２に対して高さ調整可能な固定機構２０、例えば支柱に支持孔を形成し、脇保持部１４および把持部１６に通孔を形成し、両孔にボルトを挿通させ、ボルト端をナットにより固定する機構、遊具の竹馬に採用されている加重が加わることにより締付け固定される機構、により固定されている。
【００１５】
本考案の介助用杖は手すりとして使用に供するため、支柱１２、脇保持部１４、把持部１６の外形は、通常の杖より大径としてある。
【００１６】
本例において、支柱１２の長さは約１２００ミリ〜１６００ミリ、脇保持部１４の支柱１２からの長さは約２４０ミリ〜３００ミリ、本考案の介助用杖は手すりとして使用に供するため、支柱１２、脇保持部１４、把持部１６の外形は、通常の杖より大径としてある。
【００１７】
また、人体に直接接する部位を、緩衝材にて保護することが望ましい。
【００１８】
本考案に係る介助用杖を使用する方法を以下に説術する。
【００１９】
まず、杖として使用する場合、図１〜図３に示すように、通常の杖と同様に使用すればよく、脇保持部１４を人体の脇に当接し、把持部１６を手で握り、杖にて体を支えて歩行する。
【００２０】
次に、手すりとして使用する場合、図４に示すように、杖を床面Ｆに設置する。
【００２１】
この際、脇保持部１４、把持部１６に配した支持体1８を床面Ｆに設置させることにより、杖が斜めに傾斜させた状態で安定支持されるため、支柱１２を手すりとして使用し、立ち上がる（起き上がる）。
【００２２】
また、壁面に設置する際には、図５に示すように、脇保持部１４、把持部１６に配した支持体1８を壁面Ｗに当接させ、杖の重心を考慮して傾斜させて壁面に立掛け、この傾斜立設した支柱１２、脇保持部１４または把持部１６を手すりとして使用し、立ち上がる（起き上がる）。
【００２３】
また、テーブルに立掛ける際には、図６に示すように、脇保持部１４に配した支持体1８をテーブルＴの天板に当接させ、杖の重心を考慮して傾斜させて立掛け、この傾斜立設した支柱１２を手すりとして使用し、立ち上がる（起き上がる）。
【００２４】
また、図１〜図３に示すように、杖として使用する場合、支柱１２上部、脇保持部１４に手を当てて、体の向きを代えて回転運動を介助することができる。
【００２５】
杖を収納する際には、上記同様床面に設置した状態としてもよく、また壁面に立掛けた状態としてもよく、あるいは壁面に別途配したフック等の掛け具に引っ掛けた状態として、収納しておく。
【００２６】
以上本考案の実施例について説明したが、本考案はこのような実施例に何等限定されるものでなく、本考案の要旨を逸脱しない範囲において種々なる態様で実施し得ることはもちろんである。
【産業上の利用可能性】
【００２７】
本考案に係る杖は、通常の杖として使用することのみならず、リハビリ等の介助用途にも適用できる。
【符号の説明】
【００２８】
１２  支柱
１４  脇保持部
１６  把持部
１８  支持体
【図１】
0003166654.tif 000003
【図２】
0003166654.tif 000004
【図３】
0003166654.tif 000005
【図４】
0003166654.tif 000006
【図５】
0003166654.tif 000007
【図６】
0003166654.tif 000008
【手続補正書】
【提出日】平成22年12月27日(2010.12.27)
【手続補正１】
【補正対象書類名】実用新案登録請求の範囲
【補正対象項目名】全文
【補正方法】変更
【補正の内容】
【実用新案登録請求の範囲】
【請求項１】
支柱(12)の上方に、長尺な円柱状の脇保持部(14)を、中央に、短尺な円柱状の把持部(16)を、それぞれ支柱(12)に対して垂直方向に突出させて配し、脇保持部(14)および把持部(16)の外部突出端に、支柱(12)を床面等に安定して設置支持するため、脇保持部(14)には円柱状の支持体(18)を、把持部(16)には半球状の支持体(18)を、それぞれ配したことを特徴とする介助用杖。
【手続補正２】
【補正対象書類名】明細書
【補正対象項目名】全文
【補正方法】変更
【補正の内容】
【考案の詳細な説明】
【技術分野】
【０００１】
本考案は、老人、障害者が歩行時または立ち上り時に使用する杖であり、特に手すりとして使用することができる構造を備えたものに関する。
【背景技術】
【０００２】
従来の技術として、歩行時に使用する杖は体宛部を備えたものが主流であり、杖自体を床面または壁面に安定した状態で設置できるものは皆無であった。
【考案の概要】
【考案が解決しようとする課題】
【０００３】
上記の通り、従来品は単に体を支えるための杖としての役目を果たすにとどまり、床面あるいは壁面等に安定した状態で立て掛けて手すりとして使用することができなかった。
【課題を解決するための手段】
【０００４】
本考案は、このような欠点に鑑み、体を支えることができることはもちろん、床面、壁面等に安定した状態で設置して手すりとして使用することができる介助用杖を提供することを目的としたものである。
【０００５】
その構成は、長尺な円柱状の脇保持部を、中央に、短尺な円柱状の把持部を、それぞれ支柱に対して垂直方向に突出させて配し、脇保持部および把持部の外部突出端に、支柱を床面等に安定して設置支持するため、脇保持部には円柱状の支持体を、把持部には半球状の支持体を、それぞれ配したことを特徴とするものである。
【考案の効果】
【０００６】
本考案の介助用杖は、支柱に配した脇保持部および把持部の外部突出端に支柱を床面等に安定して設置支持するための支持体を配してあるため、床面あるいは壁面に杖を安定して設置することができ、杖を手すりとして使用して、老人、身障者の立ち上がり動作を介助することができる利点がある。
【図面の簡単な説明】
【０００７】
【図１】図１は本考案に係る介助用杖の正面側斜視図。
【図２】図２は同、正面図。
【図３】図３は同、側面図。
【図４】図４は同、使用状態を示す斜視図。
【図５】図５は同、別の使用状態を示す斜視図。
【図６】図６は同、さらに別の使用状態を示す斜視図。
【考案を実施するための形態】
【０００８】
本考案は、通常の杖としての使用のみならず、手すりとしても使用に供することができる目的を、支柱に配した脇保持部、把持部と、脇保持部および把持部に配した支持体と、により実現させた。
【実施例１】
【０００９】
図１は、本考案の介助用杖は、図１〜図６に示すように、以下の構成からなるものである。
【００１０】
円柱状の支柱１２の上方に、長尺な円柱状の脇保持部１４を、中央に、短尺な円柱状の把持部１６を、それぞれ配し、脇保持部１４および把持部１６の外部突出端に、支柱１２を床面あるいは壁面に安定して設置支持するため、脇保持部１４には円柱状の支持体１８を、把持部１６には半球状の支持体１８を、それぞれ配してある。
【００１１】
本例において、支柱１２、脇保持部１４、把持部１６は優れた強度を備えたアルミ素材にて成形されている。
【００１２】
脇保持部１４、把持部１６に配する支持体１８も、アルミ素材にて成形されている。
【００１３】
脇保持部１４の支持体１８は、溶接することにより配してあり、把持部１６の支持体１８は弾性素材により成形された略半球体である。
【００１４】
脇保持部１４、把持部１６は、支柱１２に対して高さ調整可能な固定機構２０、例えば支柱に支持孔を形成し、脇保持部１４および把持部１６に通孔を形成し、両孔にボルトを挿通させ、ボルト端をナットにより固定する機構、遊具の竹馬に採用されている加重が加わることにより締付け固定される機構、により固定されている。
【００１５】
本考案の介助用杖は手すりとして使用に供するため、支柱１２、脇保持部１４、把持部１６の外形は、通常の杖より大径としてある。
【００１６】
本例において、支柱１２の長さは約１２００ミリ〜１６００ミリ、脇保持部１４の支柱１２からの長さは約２４０ミリ〜３００ミリ、本考案の介助用杖は手すりとして使用に供するため、支柱１２、脇保持部１４、把持部１６の外形は、通常の杖より大径としてある。
【００１７】
また、人体に直接接する部位を、緩衝材にて保護することが望ましい。
【００１８】
本考案に係る介助用杖を使用する方法を以下に説術する。
【００１９】
まず、杖として使用する場合、図１〜図３に示すように、通常の杖と同様に使用すればよく、脇保持部１４を人体の脇に当接し、把持部１６を手で握り、杖にて体を支えて歩行する。
【００２０】
次に、手すりとして使用する場合、図４に示すように、杖を床面Ｆに設置する。
【００２１】
この際、脇保持部１４、把持部１６に配した支持体1８を床面Ｆに設置させることにより、杖が斜めに傾斜させた状態で安定支持されるため、支柱１２を手すりとして使用し、立ち上がる（起き上がる）。
【００２２】
また、壁面に設置する際には、図５に示すように、脇保持部１４、把持部１６に配した支持体1８を壁面Ｗに当接させ、杖の重心を考慮して傾斜させて壁面に立掛け、この傾斜立設した支柱１２、脇保持部１４または把持部１６を手すりとして使用し、立ち上がる（起き上がる）。
【００２３】
また、テーブルに立掛ける際には、図６に示すように、脇保持部１４に配した支持体1８をテーブルＴの天板に当接させ、杖の重心を考慮して傾斜させて立掛け、この傾斜立設した支柱１２を手すりとして使用し、立ち上がる（起き上がる）。
【００２４】
また、図１〜図３に示すように、杖として使用する場合、支柱１２上部、脇保持部１４に手を当てて、体の向きを代えて回転運動を介助することができる。
【００２５】
杖を収納する際には、上記同様床面に設置した状態としてもよく、また壁面に立掛けた状態としてもよく、あるいは壁面に別途配したフック等の掛け具に引っ掛けた状態として、収納しておく。
【００２６】
以上本考案の実施例について説明したが、本考案はこのような実施例に何等限定されるものでなく、本考案の要旨を逸脱しない範囲において種々なる態様で実施し得ることはもちろんである。
【産業上の利用可能性】
【００２７】
本考案に係る杖は、通常の杖として使用することのみならず、リハビリ等の介助用途にも適用できる。
【符号の説明】
【００２８】
１２  支柱
１４  脇保持部
１６  把持部
１８  支持体